(57)【要約】【課題】  ケーブルを保護するための通信用電柱において、外部の衝撃にもケーブル保護カバーが電柱から離脱せず、ケーブルが安全に保護されるものを提供する。【解決手段】  上部本体と下部本体からなり、下部本体と上部本体がボルト２１とナット２２とを用いて締結される。下部本体１０の外周の一側方向に下部先端から上部縁部まで、長さ方向に下部本体の内側へと湾入した断面が半円形状のケーブル埋め込み溝１１を設ける。一側に多数のちょうつがい１３が取り付けられたケーブル保護カバー１２を、前記ケーブル埋め込み溝１１を覆うように、下部本体１０に、前記ちょうつがい１３を用いて取り付ける。【選択図】  図４
2005143289.tif 000002
【特許請求の範囲】
【請求項１】
上部本体と下部本体からなる通信用電柱であって、
下部本体と上部本体とを一体に結合させる結合手段としてのボルトとナットと、
下部本体の外周の一側方向に下部先端から上部縁部まで、長さ方向に沿って延び、下部本体の内側へと凹入した、断面が半円形状のケーブル埋め込み溝と、
一側に複数のちょうつがいを備えたケーブル保護カバーとからなり、
前記ケーブル保護カバーは、前記ケーブル埋め込み溝の外部一側に、長さ方向に沿って、前記ちょうつがいを用いて取り付けられたことを特徴とするケーブル保護用電柱。
【請求項２】
前記ケーブル保護カバーは、前記ちょうつがいから見て他の側にて、複数の締結ボルト及び雌ねじ部を用いて下部本体に締結されることを特徴とする請求項１記載のケーブル保護用電柱。
【請求項３】
前記ケーブル保護カバーは、前記ちょうつがいから見て他の側にて、この個所に取り付けられた締結金具と、下部本体に取り付けた掛けがねとを用いて締結されることを特徴とする請求項１記載のケーブル保護用電柱。
【請求項４】
前記結合手段として、さらに、ケーブル挿通用切り欠きまたは孔が形成されたフランジが、上部本体の下端と、下部本体の上端とにそれぞれ設けられたことを特徴とする請求項１記載のケーブル保護用電柱。
【発明の詳細な説明】
【技術分野】
【０００１】
本発明は、ケーブルを保護するための通信用電柱に関し、より詳しくは、地下の配線盤から供給される通信用ケーブルを電柱の端子盤まで連結させる際に、ケーブルが電柱の外部に露出されてケーブルが脱落するのを防止するために電柱にケーブル埋め込み溝とケーブル保護カバーとを具備させたケーブル保護用電柱に関する。
【背景技術】
【０００２】
一般的に、電柱は、高圧用と低圧用等の電気供給のための電柱と、通信用光ケーブルなどを供給する通信用電柱と、で分けられ、前記電気供給のための電柱は、一般的に鉄筋コンクリートなどの絶縁材で製作されるが、通信用電柱は、一般的に鋼管を使用して簡便に製作して設置している。
【０００３】
特に、主として住宅街の防火道路周辺に設置される通信用電柱は、地下の立上管を通じて提供されるケーブルが電柱の上部に位置している端子盤まで連結されるが、この際、電柱の外壁に露出するケーブルを保護するために、地面から一定高さだけ、鉄板を半円形状にした半径管のケーブル保護カバーを被せている。
【０００４】
しかし、前記のようなケーブル保護カバーは、電柱の外周面にブリキバンドで縛っておく程度の固定がされているに過ぎない。そのため、通行人の足蹴や外力により容易に、拗（ねじ）くれるか離脱するかして、ケーブルが露出する場合が多い。特に、車が電柱に軽くぶつかった場合にも、鉄板で製作されたケーブル保護カバーが拗（ねじ）くれながらケーブルを加圧してケーブルが切断されるケースがしばしば発生する。このようにして通信が途絶し、このために、頻繁な補修作業を実行しなければならないなどの問題点があった。
【０００５】
図１及び図２を参考して、従来技術による通信用電柱の構成について説明する。
【０００６】
図１は、従来技術による通信用電柱を示した構成図であり、図２は、従来技術による通信用電柱にケーブル保護カバーが構成されることを示す断面図である。
【０００７】
図１乃至図２に示すように、電柱１００の外周面に沿って上部の端子盤までケーブルが供給される。前記ケーブルを保護するためには、半径管形状のケーブル保護カバー１と、ケーブル保護カバー１を固定させるためのブリキバンド２と、が必要であるので、設置作業が複雑であり、外観が端整でない。
【０００８】
また、堅固でないブリキバンド２に起因して、ケーブル保護カバー１が外力により容易に離脱するか拗じれるようになるので、ケーブル保護カバー１の角部分によりケーブルが損傷する。
【特許文献１】特開平０６−０６２５１９
【発明の開示】
【発明が解決しようとする課題】
【０００９】
したがって、本発明は上述したような従来技術の問題点を解決するためになされたものであり、その目的は、電柱を製作及び設置する際、ケーブルが電柱の外周面から逸脱しないように電柱にケーブルを埋め込むことができるケーブル埋め込み溝を形成し、また、ケーブル保護カバーを電柱に密着締結させることにより、外部の衝撃にもケーブル保護カバーが電柱から離脱せず、ケーブルが安全に保護される電柱を提供することにある。
【課題を解決するための手段】
【００１０】
この目的を達成するための本発明は、上部本体２０と下部本体１０とで構成され、上/下部本体をボルト２１とナット２２及びフランジ３０、３１などの結合手段を用いて一体化させる通信用電柱において、下部本体外周の一定位置にケーブルを充分に埋め込むことができるケーブル埋め込み溝を、下部本体の底面先端から上部本体の縁部まで長さ方向に設ける。
【００１１】
好ましくは、この際、下部本体に形成されたケーブル埋め込み溝の寸法は、立上管とケーブルとを埋入させたときに、前記立上管とケーブルが電柱の外周面より外部に突出しない程度の寸法で形成する。
【００１２】
好ましくは、ケーブル保護カバーは、電柱の外周面に密着させて取り付ける構造として構成する。
【発明の効果】
【００１３】
本発明は、ケーブルをケーブル埋め込み溝に埋め込んで電柱の外部へ露出しないようにする。また、ケーブル保護カバーによってケーブルを安全に保護することにより、外部のどんな外力にもケーブルの損傷が生じず、特別な補修作業を要しない。そのため、管理経費を減らすことができ、ケーブルとケーブル保護カバーとが電柱の外部へ突出されずに、外観が端整なものにできる效果がある。
【発明を実施するための最良の形態】
【００１４】
以下、本発明の好適な実施形態について添付図を参照しつつ詳細に説明する。下記説明において、同一の図面符号は同一の要素を意味する。
【００１５】
本発明の実施形態によるケーブル保護用電柱の構成について説明すると次のようである。
【００１６】
図３Ａ乃至図３Ｃは、本発明の好ましい実施形態によるケーブル保護カバーとケーブル埋め込み溝が形成された状態を示す主要部分の断面図であり、図４は、本発明の好ましい実施形態による構成を示す分離斜視図であり、図５は、本発明の実施形態によるフランジを用いた結合手段を示す図である。
【００１７】
図示されるように、ケーブル保護用電柱は、上部本体２０と下部本体１０とで製作され、上/下部本体を結合手段を用いて一体化させて構成される。このような通信用電柱において、下部本体１０の外周の一定位置に立上管６０とケーブル４０とを埋め込むことができるケーブル埋め込み溝１１を、下部本体１０の底面先端から上部縁部まで長さ方向に設けている。また、前記ケーブル埋め込み溝１１の外部一側に、多数のちょうつがい１３を取り付けたケーブル保護カバー１２を、下部本体１０の外周に密着されるように、多数のちょうつがい（蝶番）１３と、締結ボルト１４と、締結金具１６と、を使用して取り付けている。
【００１８】
このように構成された本発明の電柱であると、地下の配線盤７０から供給されるケーブル４０が、地下立上管６０を通じて電柱の外周に沿って端子盤５０まで連結されるにあたり、前記地下立上管６０が配線盤７０から地面８０の近くまで延びるように設置され、前記立上管６０を通過したケーブル４０は、下部本体１０に形成されたケーブル埋め込み溝１１に沿って上部の端子盤５０まで連結される。
【００１９】
また、前記下部本体１０に取り付けられたケーブル保護カバー１２は、地面近くまで設置された前記立上管６０の一部とケーブル４０とを保護するようになる。この際、ケーブル保護カバー１２は、ケーブル４０が通行人の手に触れない程度の高さに製作されることが望ましい。
【００２０】
以上、本発明を具体的な実施形態を参照して詳細に説明したが、本発明の範囲は前述の実施形態によって限定されるべきではなく、特許請求の範囲の記載及びこれと均等なものの範囲内で様々な変形が可能なことは、当該技術分野における通常の知識を持つ者には明らかである。
【図面の簡単な説明】
【００２１】
【図１】従来技術による通信用電柱を示した構成図である。
【図２】従来技術による通信用電柱にケーブル保護カバーが構成されることを示す断面図である。
【図３Ａ】本発明の好ましい実施形態（１）によるケーブル保護カバーとケーブル埋め込み溝が形成された状態を示す主要部分の断面図である。
【図３Ｂ】本発明の好ましい実施形態（２）によるケーブル保護カバーとケーブル埋め込み溝が形成された状態を示す主要部分の断面図である。
【図３Ｃ】本発明の好ましい実施形態（３）によるケーブル保護カバーとケーブル埋め込み溝が形成された状態を示す主要部分の断面図である。
【図４】本発明の好ましい実施形態による構成図である。
【図５】本発明の実施形態によるフランジを用いた結合手段を示す図である。
【図６】一般的に通信用電柱が設置されることを示す概路図である。
【符号の説明】
【００２２】
１０  下部本体
１１  ケーブル埋め込み溝
１２  ケーブル保護カバー
１３  ちょうつがい
１４  締結ボルト
１６  締結金具
２０  上部本体
３０，３１  フランジ
【図１】
2005143289.tif 000003
【図２】
2005143289.tif 000004
【図３Ａ】
2005143289.tif 000005
【図３Ｂ】
2005143289.tif 000006
【図３Ｃ】
2005143289.tif 000007
【図４】
2005143289.tif 000008
【図５】
2005143289.tif 000009
【図６】
2005143289.tif 000010